(57)【特許請求の範囲】
【請求項１】
先の部分が靴の先の部分に接触するように前記靴の中に敷かれて使用される底部であって敷かれた状態が保持されるように形成された底部と、該底部と一体的に形成され前記靴の中に入れられて前記人が前記靴を履いたときに少なくとも前記人の足の指の先側を覆う覆い部であって該覆い部の先の部分が前記指の先端の形状に近い形状になっていて前記底部の先の部分から退避した位置になっている覆い部と、を有することを特徴とする靴の中入れ。
【請求項２】
前記底部の先の部分から前記退避した位置までの底部先側部分は前記覆い部の上に重なるように折り曲げ可能に形成されていることを特徴とする請求項１に記載の靴の中入れ。
【発明の詳細な説明】
【０００１】
【発明の属する技術分野】
本発明は靴の中入れに関し、特に靴の履き心地の向上技術に関する。
【０００２】
【従来の技術】
従来、靴にはデザイン性及び履き心地の両面が要求されるが、デザイン性を重視すれば履き心地が不十分になり、履き心地を重視すればデザイン性が劣ることになり易い。例えば、先端部分が細い曲線状になった靴はデザイン的に優れているものの、人の足先の形からは大きく逸脱しており、靴を履いたときに、足の指先のごく一部分しか靴に沿わず、足が痛くなったり空間ができたて履き心地が悪くなるという問題がある。
【０００３】
また、靴を買うときには、多少大きめのものを選ぶことが多い。特に、子供は足の成長が早いためこの点を考慮し、できるだけ長い間その靴を履けるように、かなり大きめのサイズの靴を買うのが通常である。このように足よりも寸法の大きい靴は、靴の中で足が動くような遊びが生じ、歩きにくく履き心地の悪いものであった。この点に関して近年の研究によれば、サイズの合わない靴を履くと、その子供の成長に悪影響を及ぼすという報告もされている。
【０００４】
このように、靴は足の形状やサイズに適合していることを要請されるが、上記の如く、デザインが気に入った場合や足が大きくなる子供の場合等には、形の合わない靴や大きい靴を購入することになる。そのような場合、従来では、通常の市販されている靴の中敷を使用したり靴下で調整するだけであった。
【０００５】
【発明が解決しようとする課題】
しかしながら、通常の靴の中敷き等では、上記の形状及びサイズの不一致に殆ど対処できないという問題があった。そこで本発明は、従来技術における上記問題を解決し、足と靴との間に形状や寸法の違いがあっても、足に適合して履き心地が良くなる靴の中入れを提供することを課題とする。
【０００６】
【課題を解決するための手段】
本発明は上記課題を解決するために、請求項１の発明は、靴の中入れが、先の部分が靴の先の部分に接触するように前記靴の中に敷かれて使用される底部であって敷かれた状態が保持されるように形成された底部と、該底部と一体的に形成され前記靴の中に入れられて前記人が前記靴を履いたときに少なくとも前記人の足の指の先側を覆う覆い部であって該覆い部の先の部分が前記指の先端の形状に近い形状になっていて前記底部の先の部分から退避した位置になっている覆い部と、を有することを特徴とする。
【０００７】
請求項２の発明は、上記に加えて、前記底部の先の部分から前記退避した位置までの底部先側部分は前記覆い部の上に重なるように折り曲げ可能に形成されていることを特徴とする。
【０００８】
【発明の実施の形態】
図１及び図２は本発明を適用した靴の中入れの構造例を示し、図１は平面状態で図２（ａ）は断面状態を示す。
靴の中入れ１０は、底部である敷物１と覆い部であるカバー２とを有する。敷物１は、その先の部分である敷物先端部１１が靴３の先の部分である靴先端部３１に接触するように靴３の中に敷かれて使用される。なお靴３は、図では外側の靴底外形線３２及び内側の靴底に接続した靴本体カバーの線３３によって示されている。靴先端部３１は靴本体カバーの線３３の先側の一部分をなす。
【０００９】
カバー２は、敷物１と一体的に形成され、靴３の中に入れられて人が靴３を履いたときに少なくとも人の足４の指４１の先側を覆うが、本例では、図において一点鎖線で示す人が歩くときに指４１が折れ曲がる部分４１ａの近傍までの部分を覆っている。このカバー２の先の部分であるカバー先端部２１は、図示の如く人の足の指４１の先端の形状に近い形状になっていると共に、敷物先端部１１から退避した位置になっている。敷物１においてこのようにカバー２を退避させた底部先側部分は、後述するように足先位置の調整帯１２としての機能を持つ。
【００１０】
敷物１は、敷かれた状態が保持されるように形成される。即ち、人が靴を履いて歩いたときに調整帯１２にこれを曲げるように平面方向の力が加わった場合に、曲がったり座屈することなくカバー先端部２１の位置が保持されるように、例えば少し固めの樹脂材や固めの革や木製薄板や復元力のある固めのゴム等の材料で適当な厚みがあり、ある程度の曲げ剛性を備えるように形成される。
【００１１】
靴の中入れは、特定の靴に対応した形状のものや、どのような靴にも適用できるように複数のフリーサイズのものとして製造される。特定の靴に対応したものにする場合には、敷物１は、図示の如く、靴先端部３１及び敷物先端部１１のそれぞれの丁度先端位置Ｐ、Ｑが接触したときにその両側部分でそれぞれの先端部１１と３１との間にある程度の隙間δができるように形成される。又、敷物先端部１１は必ずしも図１のように靴先端部３１と相似的な形状でなくてもよく、例えば図２（ｂ）のように凹凸曲面状にして、靴先端部３１とは数箇所で部分接触させるような形状にしてもよい。
【００１２】
複数のフリーサイズのものを汎用品として準備する場合には、例えば敷物１の最大幅寸法Ｗを１ｍｍピッチで１０種類の大きさのものにする。それにより、殆どの人の足及び靴サイズに対応することが可能になる。なお、靴先側の形状は靴によって多少異なっているので、敷物１の靴に沿わせる外周部分の形状を２〜３種類準備するようにしてもよい。但し、通常最大幅の種類だけで対応することが可能である。又、上記の如く敷物先端部１１を凹凸曲面状に形成して対応してもよい。
【００１３】
敷物１は、図１の後端側１２で示す如く、カバー２を形成できる程度に適当な位置まで延設されたものであればよく、例えば土踏まずの前で足の指４１の折れ曲がる部分の下の位置程度まで延設される。なお、図の二点鎖線で示すようにもう少し長いものであってもよいし、靴の中敷き兼用として踵部分まで延設されていてもよい。
【００１４】
カバー２は、通常、樹脂材やゴムや革や布等の材料であって定形性はあるがある程度柔軟な材料のもので製造される。但し、敷物の曲げ剛性とカバーの柔軟性との両方の要請をある程度満たせるような材料や厚みのものにして、敷物１と同材料のものにしてもよい。そのようにすれば、樹脂材等を使用するときに同じ型枠を用いて敷物１と一体製造することにより、製造コストを下げることが可能になる。カバー２と敷物１とを別材料にするときには、接着や溶着や縫い合わせ等の適当な方法によって両者を一体化する。
【００１５】
カバー２の第１の目的は足の指４１の指先の位置を決めることにある。指４１の上や足の甲の部分は本来的には靴の上部材によって押さえられるので、カバー２の後端２２は、本例の図示の如く、人が歩くときに足の指４１の折れ曲がる部分４１ａの手前の位置程度までかぶっていればよい。但し、例えばスリッパのように、足の甲の一部分まで覆う形状になっていてもよい。
【００１６】
カバー２の両側部２３は、通常敷物１の幅と同じ幅になっていて、カバー先端部２１を含めて敷物１に接触する全面が敷物１と接続するように一体化される。但し、足の幅方向の寸法がカバー２の寸法と合わないときの自由度を得るために、例えば小指側の側部２３ａの部分を敷物１から切り離して使用することができる。
【００１７】
以上のような靴の中入れは次のように使用されてその作用効果を発揮する。
図３に示す如く、靴３の長さがＡで人の足４の長さがＢであるとすれば、Ａ−Ｂ＝ＣでＣの寸法分だけ靴の中で足が遊び、靴下等で少しは修正できるものの、靴の履き心地が良くない。一方、仮に足４の寸法がＡの人が丁度Ａの長さの靴を履くと、足と靴との形が合わないため足の指の両側が靴で狭められて痛くなるようなこともよくある。そのときには、Ａよりも更に大きい寸法の靴を履くことになる。
【００１８】
そのような場合に、図１にも示す如く本発明の中入れ１０を靴３の先に入れて使用する。その場合、中入れがその靴の専用として作られているときには、その幅は靴の幅とほぼ同じであるため、調整帯１２の先端からの長さを調整して使用することになる。汎用品を使用する場合には、靴の幅に合うもの、又はこれに加えて靴の先側の形状に合うものを選定する。
【００１９】
そして、専用のもの又は選定したものを靴の中に入れて靴を履いてみる。このとき、中入れのカバー先端部２１は足の先端に合った形になっているので、すでに足先に対してはぴったり感が生じ、靴の履き心地が良くなっている。しかし、調整帯１２は通常長い目にできているので、敷物先端部１１が靴先端部３１に当たって靴３の長さを実質的に相当短くしているので、足が窮屈に感じることが多い。そのときには、調整帯１２の先である敷物先端部１１を少しづつ切っては靴を履いてみる。そして、僅かにきつい目位の切り方で止めておき、実際に靴を着用することになる。
【００２０】
それにより、通常、靴が少し伸びたり中入れが靴に馴染むので、窮屈感はすぐになくなり、足先ぴったり長さぴったりで極めて靴の履き心地をよくすることができる。実用段階においても窮屈な感じが残れば、又調整帯１２を少し切って着用する。一方、万一切り過ぎてゆるくなり過ぎたときには、別の新しいものに取り替える。この場合、中入れは靴に較べると極めて構造が簡単で安価なものであるから、取り替えることが費用的に負担にならない。長い間着用していて破損したりゆるくなったときにも、同様に簡単に取り替えられる。
【００２１】
このように中入れを用いると、適当に切断されて長さ調整された調整帯１２により、敷物先端部１１が靴先端部３１に当たって敷物１の位置が定まり、その結果カバー先端部２１の最適位置も定まり、足の指先が全体的にカバー先端部２１に接触すると共にこの位置から靴の踵部分までの間でぴったりとおさまり、靴の履き心地が極めて良くなる。又、従来の靴では、足の指の先端や左右が不当に圧迫されたり足を痛めるようなことがあったが、このような不具合が完全に解消される。
【００２２】
この場合、敷物１が適当な剛性を備えているので、靴の中で曲がったり座屈状態になってしまうことがなく、敷物１、従って中入れを一定位置に保持することができる。又、カバー２は、ある程度柔軟性を持つので、足の指４１の上側を適当な圧力で押さえ込むことになる。その結果、前記の如くぴったし感覚が生じ、快適な履き心地が得られると共に足の損傷防止を図ることができる。
【００２３】
このように中入れによれば、靴を買うときに、靴の長さや幅や指先部分の高さ等のサイズが足と完全に一致する必要がなくなるので、靴選択の困難さが解消されると共に、靴の選択範囲の自由度が広くなる。その結果、特に女性の場合などデザイン性を重視して靴を買ったとしても、履き心地が悪かったり歩き難かったり場合によっては足を変形させたり痛めたりするような不具合を完全に防止することができる。
【００２４】
そして、このような中入れは、短くても足りる敷物１と先の僅かな部分だけでも足りるカバー２とで構成される極めて簡単な構造の部材であり、製造容易で安価なものである。従って、交換や買い換えも容易である。そして、新しい靴の購入時のみならず、既存の着用中の靴にも自由に使用することができる極めて重宝な部材である。
【００２５】
図４及び図５は本発明の中入れの他の例を示す。
本例の中入れは、底部先側部分である調整帯１２が、カバー２の上に重なるように折り曲げ可能なように形成されている。そのため、調整帯１２を、図１のものに較べて、大きいと共に靴先端部３１とは異なり折り曲げて重ねやすい形状にしている。又、本例では、調整帯１２の部分に靴の長さ方向であるＹ方向の一部分に予め切れ目１２ａを入れている。その結果、切れ目１２ａによって分割されたそれぞれの調整帯１２ｂは、それぞれ独立してカバー先端部２１からほぼ直線状に突出した形状になり、図５に示す如く、靴の上方をＺとするとＹ−Ｚ面に平行な方向に二次元的に折り曲げることが可能になる。又、それぞれの調整帯１２ｂでは曲げ剛性も大幅に小さくなるので、曲げるのが容易になる。
【００２６】
本例の中入は、靴先端側に長さ調整分ｃを残して調整帯１２ｂのそれぞれがカバー２の上に折り曲げて重ねられる。このとき、その使用者に必要なだけの調整分ｃが残るように、切れ目１２ａは使用時にその延長線上に適当な長さだけ切断される。
【００２７】
このように調整帯１２ｂをカバー２に重ねることにより、足の指４１と靴本体カバー部分３２の上側３２ａとの間に生ずる隙間部分を、カバー２及び折り重ねられた調整帯１２ｂによって充填することができる。その結果、足の上側で特に指４１の上側部分が靴にぴったりおさまってその無駄な動きが殆どなくなり、極めて歩き良い靴にすることができる。従って、この中入れは運動靴に特に効果的である。サッカー用の靴に適用すれば、靴の上面で球を蹴るときの感触を良くすることができる。
【００２８】
図６は、本発明の靴入れと共に好都合に使用される踵側の中入れを示す。
踵側中入れ５は、ある程度柔軟性があるシート状の樹脂材料でできていて、靴３の後端部分である踵部分３４の形状に近い形状になっていて、この上端３４ａから外側に開くように突出した突出部５１を備えている。この踵側中入れ５は、踵部分３４に入れられて使用される。
【００２９】
このような踵側中入れ５によれば、靴を履くときに、靴ぺらを使用することなくそのまま所謂「横着履き」をすることができる。即ち、足の踵部分を入れるときにこれが踵側中入れ５に沿うので、これがない場合のように直接踵部分３４の上端３４ａを押さえ付けてその形を崩すことがない。又、靴及び踵側中入れ５の出来具合によっては、横着履きをし難いことがあるが、そのときには、上記突出部５１を手で持って履くことにより、靴ぺらが不要になる。従って、何れの場合にも、靴を履くのが容易になる効果がある。
【００３０】
【発明の効果】
以上の如く本発明によれば、請求項１の発明においては、靴の中入れを底部と覆い部とを有する構造とし、底部の先の部分が靴の先の部分に接触するように敷かれるので、この状態で少なくとも足の指を底部に乗せると、底部を靴の先の部分に位置決めした状態で靴を履くことができる。又、底部は敷かれた状態を保持できるように形成されているので、曲がったり折れたりすることなく、底部を上記位置に保持することができる。
【００３１】
覆い部は、底部と一体的に形成されていて、靴の中に入れられて人がその靴を履いたときに少なくともその人の足の指の先側を覆うが、この覆い部の先の部分が前記指の先端の形状に近い形状になっていると共に、底部の先の部分から退避した位置になっているので、この退避した位置に足の指の先端を沿わせた状態で少なくとも足の指の先側の部分を覆い部の中におさめることができる。
【００３２】
そしてこの場合、覆い部の先の部分を底部の先の部分から退避した位置にしているので、底部のうちその先の部分から退避した位置までの範囲を自由に切断して、この範囲の部分の大きさを自由に調整することができる。その結果、靴が足より大きい場合に、その靴に使用する中入れに対して上記の調整を行うことにより、足に丁度適合した靴を履いたのと同じ効果を得ることができる。このとき、足の指先も覆い部の先の部分に沿って接触するので、足にぴったりとした靴になり極めて履き心地を良くすることができる。又、足の指の先端や左右が不当に圧迫されず、足を痛めるようなことがない。
【００３３】
このような中入れによれば、靴を買うときに、靴の長さや幅や指先部分の高さ等のサイズが足と完全に一致する必要がなくなるので、靴選択の困難さが解消されると共に、靴の選択範囲の自由度が広くなる。その結果、特に女性の場合などデザイン性を重視して靴を買ったとしても、履き心地が悪かったり歩き難かったり場合によっては足を変形させたり痛めたりするような不具合を完全に防止することができる。
【００３４】
そして、このように中入れは、短くても足りる底部と先の僅かな部分だけでも足りる覆い部とで構成可能な極めて簡単な構造の部材であり、製造容易で安価なものである。従って、交換や買い換えも容易である。そして、新しい靴の購入時のみならず、既存の着用中の靴にも自由に使用することができる極めて重宝な部材である。
【００３５】
請求項２の発明においては、上記に加えて、底部の先の部分から退避した位置までの底部先側部分が覆い部の上に重なるように折り曲げ可能に形成されているので、覆い部の先の部分を足の寸法に合うようにした上で、残りの底部先側部分を覆い部の上に重ねることにより、足の指と靴本体カバー部分の上側との間に生ずる隙間部分を、覆い部及び折り重ねられた底部先側部分によって充足することができる。その結果、足の上側で特に指の上側部分が靴にぴったりおさまってその無駄な動きを殆どなくして、極めて歩き良い靴にすることができる。又、運動靴にも好都合に使用される。
【図面の簡単な説明】
【図１】本発明を適用した靴の中入れを靴に入れた状態を示す平面図である。
【図２】（ａ）は上記中入れのＡ−Ａ線断面図で、（ｂ）は調整帯部分の他の例を示す平面図である。
【図３】靴と足との寸法関係を示す説明図である。
【図４】本発明を適用した靴の中入れの他の例を示す平面図である。
【図５】上記中入れのＢ−Ｂ断面図である。
【図６】靴の踵側中入れの説明図である。
【符号の説明】
１            敷物（底部）
２            カバー（覆い部）
３            靴
４            足
１１          敷物先端部（先の部分）
１２          調整帯（底部先側部分）
２１          カバー先端部（覆い部の先端部）
３１          靴先端部（靴の先の部分）
４１          指
【図１】
0003692371.tif 000002
【図２】
0003692371.tif 000003
【図３】
0003692371.tif 000004
【図４】
0003692371.tif 000005
【図５】
0003692371.tif 000006
【図６】
0003692371.tif 000007